(57)【要約】【課題】天板本体部を囲む構成で枠体が設けられ且つ天板本体部の後方側に後板部が隣接した構成をなす天板部を備えたガスコンロにおいて、枠体と後板部の間に埃や煮汁等が入り込み難い構成を実現する。【解決手段】ガスコンロ１の天板部４は、天板本体部２０、補強板部７０、枠体３０、後板部４０などを備える。後板部４０は、天板本体部２０の上面部の後方側に配置される環状上面部４３と、環状上面部４３に一体的に連結されるとともに天板本体部２０の上面部後端に沿って配置され、上面部後端を上方側から覆う構成をなす第１被覆部４１と、環状上面部４３に一体的に連結されるとともに第２枠部３２に沿って配置され、第２枠部３２を外側から覆う構成をなす第２被覆部４２と、を有する。【選択図】図２
2019219138.tif 000002
【特許請求の範囲】
【請求項１】
上端側が開放した形態をなす筐体部と、
前記筐体部の上端側に組み付けられて前記筐体部を閉塞する天板部と、
を有するガスコンロであって、
前記天板部は、
板状の天板本体部と、
前記天板本体部の裏面側に固定される補強板部と、
前記天板本体部の領域と前記天板本体部の後方側の領域とを外側から囲む構成で配置され、前記天板本体部の前縁部及び両側縁部に固定される第１枠部と、前記第１枠部の後方側に続く構成をなし且つ前記天板本体部の後方側の領域の周囲に配置される第２枠部と、を備える枠体と、
前記天板本体部と前記補強板部と前記枠体とが組み付けられてなる組付体に固定される後板部と、
を有し、
前記後板部は、
前記天板本体部の上面部の後方側に配置される環状上面部と、
前記天板本体部の上面部後端に沿って配置され、前記上面部後端を上方側から覆う構成をなす第１被覆部と、
前記環状上面部に一体的に連結されるとともに前記第２枠部に沿って配置され、前記第２枠部を外側から覆う構成をなす第２被覆部と、
を備えるガスコンロ。
【請求項２】
前記補強板部は、
前記天板本体部の左右方向一方側の端部寄りに固定される第１補強板部と、
前記天板本体部の左右方向他方側の端部寄りに固定される第２補強板部と、
を備え、
前記第１補強板部及び前記第２補強板部は、前記天板本体部の後端部よりも後方側に延出した後方延出部を具備し、
前記第１補強板部及び前記第２補強板部のそれぞれの前記後方延出部が、前記後板部を下方側から支持する
請求項１に記載のガスコンロ。
【請求項３】
前記環状上面部は、前記第２枠部に沿って配置されるとともに上面が平坦面として構成された平坦面部を具備し、
前記第２被覆部は、前記平坦面部の端部から立ち下がる構成をなす
請求項１又は請求項２に記載のガスコンロ。
【発明の詳細な説明】
【技術分野】
【０００１】
本発明は、ガスコンロ
【背景技術】
【０００２】
ガスコンロで用いられる天板は、板状に構成された天板本体の外周付近に枠体を取り付けた構成のものが多い。例えば、特許文献１で開示されるガスコンロは、トッププレートの後端に連結される形で中板が設けられ、トッププレートと中板とが連結された板状体の外側を囲む形で外枠が取り付けられている。
【先行技術文献】
【特許文献】
【０００３】
【特許文献１】特開２００８−２７５４号公報
【発明の概要】
【発明が解決しようとする課題】
【０００４】
特許文献１で開示されるガスコンロの天板部（天板構造）は、天板本体部(トッププレート)の後端に隣接する形態で後板部（中板）が設けられ、これらが連結された板状体の外周を囲むように枠体（外枠）が取り付けられる構成である。このような構成を採用した場合、後板部と枠体の間に隙間が存在すると、この隙間から煮汁等が入り込みやすくなり、美観面や衛生面での問題が生じやすくなる。
【０００５】
本発明は、上述した課題を解決するためになされたものであり、天板本体部を囲む構成で枠体が設けられ且つ天板本体部の後方側に後板部が隣接した構成をなす天板部を備えたガスコンロにおいて、枠体と後板部の間に埃や煮汁等が入り込み難い構成を実現することを目的とするものである。
【課題を解決するための手段】
【０００６】
本発明の一つであるガスコンロは、
上端側が開放した形態をなす筐体部と、
前記筐体部の上端側に組み付けられて前記筐体部を閉塞する天板部と、
を有するガスコンロであって、
前記天板部は、
板状の天板本体部と、
前記天板本体部の裏面側に固定される補強板部と、
前記天板本体部の領域と前記天板本体部の後方側の領域とを外側から囲む構成で配置され、前記天板本体部の前縁部及び両側縁部に固定される第１枠部と、前記第１枠部の後方側に続く構成をなし且つ前記天板本体部の後方側の領域の周囲に配置される第２枠部と、を備える枠体と、
前記天板本体部と前記補強板部と前記枠体とが組み付けられてなる組付体に固定される後板部と、
を有し、
前記後板部は、
前記天板本体部の上面部の後方側に配置される環状上面部と、
前記天板本体部の上面部後端に沿って配置され、前記上面部後端を上方側から覆う構成をなす第１被覆部と、
前記環状上面部に一体的に連結されるとともに前記第２枠部に沿って配置され、前記第２枠部を外側から覆う構成をなす第２被覆部と、
を備える。
【発明の効果】
【０００７】
上記ガスコンロは、天板部の一部をなす後板部が、天板本体部の上面部の後方側に配置される環状上面部と、天板本体部の上面部後端を上方側から覆う第１被覆部と、枠体の第２枠部を外側から覆う第２被覆部とを備える。このように構成されるため、枠体において後板部付近に配置される部分（第２枠部）と後板部との間の隙間が上面側に露出する領域を低減又は無くすことができ、後板部と枠体の間の隙間に煮汁等が入り込むことを防ぎやすくなる。また、煮汁等の残存が生じにくくなるため、美観面も向上し得る。
【図面の簡単な説明】
【０００８】
【図１】実施例１のガスコンロを概略的に例示する正面図である。
【図２】実施例１のガスコンロの天板部を斜め上側から見た斜視図である。
【図３】図２の天板部の平面図である。
【図４】図２の天板部の底面図である。
【図５】図２の天板部の正面図である。
【図６】図２の天板部の背面図である。
【図７】図２の天板部の側面図である。
【図８】図２の天板部の分解斜視図である。
【図９】図２の天板部について、図８とは異なる方向から見た分解斜視図である。
【図１０】図２の天板部から後板部を取り外した状態を示す斜視図である。
【図１１】図３のＡ−Ａ位置で切断した断面を概略的に示す断面図である。
【図１２】図１１で示す断面の一部を拡大して示す断面拡大図である。
【図１３】図３のＢ−Ｂ位置で切断した断面を概略的に示す断面図である。
【図１４】図１３で示す断面の一部を拡大して示す断面拡大図である。
【発明を実施するための形態】
【０００９】
本発明の望ましい例を以下に示す。但し、本発明は、以下の例に限定されない。
【００１０】
補強板部は、天板本体部の左右方向一方側の端部寄りに固定される第１補強板部と、天板本体部の左右方向他方側の端部寄りに固定される第２補強板部と、を備えていてもよい。第１補強板部及び第２補強板部は、天板本体部の後端部よりも後方側に延出した後方延出部を具備していてもよい。第１補強板部及び第２補強板部のそれぞれの後方延出部が、後板部を下方側から支持する構成であってもよい。
このようにすれば、補強板部の一部によって後板部を下方側から支持することができるため、後板部から加わる力を枠体と補強板部とに分散することができる。よって、第２枠部が後板部によって上方側から押圧されることに起因する枠体の撓み等を抑えることができ、より強度を増すことができる。
【００１１】
環状上面部は、第２枠部に沿って配置されるとともに上面が平坦面として構成された平坦面部を具備していてもよい。そして、第２被覆部は、平坦面部の端部から立ち下がる構成をなしていてもよい。
このようにすれば、環状上面部において第２被覆部側の境界付近の形状を凹部が少ない形状とすることができ、煮汁等が溜まることをより防ぎやすくなる。
【００１２】
＜実施例１＞
本発明の実施例１に係るガスコンロ１について、図面を参照しつつ説明する。
１−１．ガスコンロの概要
まず、ガスコンロ１の概要を説明する。図１に示すガスコンロ１は、調理鍋等の調理器具を加熱可能なビルトインコンロとして構成され、複数のこんろ部６Ａ，６Ｂ，６Ｃを備えるとともに、器内にグリル庫１０を内蔵してなる。このガスコンロ１は、装置本体１Ａに天板部４が取り付けられた構成をなす。装置本体１Ａは、ガスコンロ１から天板部４や五徳９Ａ，９Ｂ，９Ｃなどを除いた部分であり、ガスコンロ１の外殻をなす筐体部２と、筐体部２内に収容される様々な部品（グリル庫１０等）とを有してなる。天板部４は、筐体部２の上端部に固定されている。
【００１３】
ガスコンロ１には、天板部４から露出するように、左こんろ部６Ａ、右こんろ部６Ｂが夫々設けられ、その左右のこんろ部６Ａ，６Ｂの間で後方寄りに小こんろ部６Ｃが設けられている。左こんろ部６Ａには、コンロバーナ８Ａが設けられ、右こんろ６Ｂには、コンロバーナ８Ｂが設けられ、小こんろ部６Ｃには、コンロバーナ８Ｃが設けられている。コンロバーナ８Ａ，８Ｂ、８Ｃは、公知のガスバーナとして構成され、図示しないガス供給路を介してガスが供給される構成をなし、それぞれの一部が天板部４の上方側に配置されるようになっている。コンロバーナ８Ａ，８Ｂ、８Ｃの周囲には、天板部４に載置された状態で五徳９Ａ，９Ｂ，９Ｃがそれぞれ組み付けられている。天板部４の下方において装置本体１Ａの内部中央付近にはグリル庫１０が設けられている。
【００１４】
１−２．天板部の構成
次に、天板部４について詳述する。図１のように、天板部４は、上端側が開口してなる筐体部２の上端側に組み付けられて筐体部２を閉塞するものであり、ガスコンロ１の上面部を構成するものである。
【００１５】
天板部４の取付対象となる筐体部２は、図示しない左右の側壁部と、図示しない後壁部と、前壁部として機能する前面パネル２Ａと、図示しない底壁部とを備え、前後左右の壁部によって部品の収容空間が囲まれた構成をなし、部品の収容空間の下方側は底壁部によって閉塞される。筐体部２は、上端側が開放した構成をなす箱状形態をなしており、グリル庫１０などの各種部品を収容する。天板部４は、筐体部２の上端側に構成される開口部を閉塞する構成で筐体部２に取り付けられる。
【００１６】
なお、本明細書では、天板本体部２０の厚さ方向（板厚方向）を上下方向とし、天板本体部２０を平面視したときの長手方向を左右方向とし、上下方向及び左右方向と直交する方向を前後方向とする。上下方向において、天板本体部２０の表側を上方側とし裏側を下方側とする。
【００１７】
天板部４は、図２〜図７のような構成をなし、図８、図９で示す各部品が組み立てられてなる。図９のように、天板部４は、板状の天板本体部２０と、天板本体部２０の裏面側に固定される補強フレーム８０と、天板本体部２０の裏面側において左右方向両端付近に配置される作用部材７０と、天板本体部２０の一部の周縁部に沿うように天板本体部２０に固定される枠体３０と、枠体３０に沿って配置されるパッキン１０２と、天板本体部２０の後方に隣接して配置される後板部４０と、天板本体部２０における中央側の所定位置にそれぞれ固定される中央側内枠部６１，６２，６３とを備える。
【００１８】
図２、図８、図９で示すように、天板本体部２０は、板状に構成された部材であり、ガラス板からなる板状部材、或いは金属板材の表面にホーロー処理を施してガラスコート層を形成した板状部材などとして構成されている。天板本体部２０は、全体的に均一な板厚となっており、図２で概念的に示すように、天板本体部２０の中央側には、コンロバーナ８Ａ，８Ｂ、８Ｃが挿し通される開口形状のバーナ挿通部２１Ａ，２１Ｂ，２１Ｃが貫通孔として形成されている。図８のように、天板本体部２０の周縁部２９は、平面視矩形状となっており、周縁部２９のうちの前端側周縁部２９Ａ及び後端側周縁部２９Ｂは、端部が左右方向に延びる形態をなす。周縁部２９のうちの左右端側周縁部２９Ｃ，２９Ｄは、端部が前後方向に延びる形態をなす。
【００１９】
図２のように、天板本体部２０には、中央側内枠部６１，６２，６３がそれぞれ固定される。中央側内枠部６１，６２，６３は、天板本体部２０の中央側に形成された各バーナ挿通部２１Ａ，２１Ｂ，２１Ｃの付近にそれぞれ固定される。中央側内枠部６１は、天板本体部２０の裏面側に板状の組付部材６１Ａが固定され、天板本体部２０の表面側にリング状の座金部材６１Ｂが固定され、これらが固定部材（ねじ等）によって連結される。中央側内枠部６２は、天板本体部２０の裏面側に板状の組付部材６２Ａが固定され、天板本体部２０の表面側にリング状の座金部材６２Ｂが固定され、これらが固定部材（ねじ等）によって連結される。中央側内枠部６３は、天板本体部２０の裏面側に板状の組付部材６３Ａが固定され、天板本体部２０の表面側にリング状の座金部材６３Ｂが固定され、これらが固定部材（ねじ等）によって連結される。中央側内枠部６１，６２，６３のそれぞれには、上下に貫通した開口部６１Ｃ，６２Ｃ，６３Ｃがそれぞれ形成され、これらがバーナ挿通部２１Ａ，２１Ｂ，２１Ｃのそれぞれと連通しており、天板部４の装着時には、開口部６１Ｃ，６２Ｃ，６３Ｃに対して下側からコンロバーナ（ガスバーナ）８Ａ，８Ｂ、８Ｃがそれぞれ挿入されるようになっている。
【００２０】
枠体３０は、図２、図１０のように天板本体部２０の領域と天板本体部２０の後方側の領域（図１０で示す開口部１００Ａの開口領域）とを外側から囲む構成で配置される部品である。枠体３０は、例えば金属材料や樹脂材料などからなり、図８のように矩形枠状に構成されている。枠体３０は、接着剤などの接着媒体によって天板本体部２０の周縁部２９に接着される構成をなし、天板本体部２０の周縁部２９の近傍を補強する機能を有する。なお、枠体３０は、天板本体部２０の前縁部（前端側周縁部２９Ａ）及び両側縁部（左右端側周縁部２９Ｃ，２９Ｄ）に固定される第１枠部３１と、第１枠部３１の後方側に続く構成をなし且つ天板本体部２０の後方側の領域の周囲に配置される第２枠部３２と、を備える。
【００２１】
具体的には、図８のように、枠体３０の前後両端部が左右方向に延びる第１直線状部３３，３４として構成され、枠体３０の左右両端部が前後方向に延びる第２直線状部３５，３６として構成されている。そして、第１直線状部３３及び第２直線状部３５，３６の一部が天板本体部２０の周縁部２９に固定される構成をなす。なお、枠体３０において天板本体部２０の周縁部２９に固定される部分が第１枠部３１の一例に相当する。そして、この第１枠部３１の後方側に続く部分（天板本体部２０の後端よりも後方側の部分）が第２枠部３２の一例に相当する。図１０のように、天板本体部２０に枠体３０が固定された状態では、第２枠部３２が天板本体部２０の後端部（後端側周縁部２９Ｂ）よりも後方側に延びており、その後端部（後端側周縁部２９Ｂ）と第２枠部３２とによって開口部１００Ａを構成している。
【００２２】
パッキン１０２は、枠体３０の下面に固定されるシール部材であり、図１１〜図１４で示すように、枠体３０に沿うように配置される。パッキン１０２は、天板部４がキッチンカウンターの載置面（取付孔周縁部の上面）に載置されたときに、その載置面と枠体３０とによって挟み込まれ、天板部４と載置面の間の隙間を埋めるようにシールする部品である。
【００２３】
後板部４０は、例えば金属材料などからなり、天板本体部２０と補強板部８９と枠体３０とが組み付けられてなる組付体１００（図１０）に対して接着剤等の固定手段によって固定される部品である。なお、図１４等では接着剤等の固定手段を省略して示している。図１０で示すように、組付体１００は、天板部４から後板部４０を外した構造体であり、後板部４０は、組付体１００において天板本体部２０の後方側に構成される開口部１００Ａ（天板本体部２０の後端部と枠体３０の一部とによって構成される開口部）の開口領域を部分的に埋めるように天板本体部２０及び枠体３０に固定される。
【００２４】
図２、図３のように、後板部４０は、天板本体部２０の上面部２２の後方側に配置される環状上面部４３と、環状上面部４３の一部として又は環状上面部４３に一体的に連結された部分として構成されるとともに天板本体部２０の上面部２２の後端２２Ａに沿って配置され、上面部後端２２Ａ（図１０、図１４）を上方側から覆う構成をなす第１被覆部４１と、環状上面部４３に一体的に連結されるとともに第２枠部３２に沿って配置され、第２枠部３２を外側から覆う構成をなす第２被覆部４２と、を備える。環状上面部４３の裏面側後端部付近には、左右方向に延びる補強部材９０が固定されている。
【００２５】
第１被覆部４１は、後板部４０の前端部付近の部分であり、天板本体部２０の後端部付近を覆うとともに前端部が天板本体部２０の上面部２２に当接するように配置されている。図２、図３等で示す例では、後板部４０の前端が左右方向に沿って直線状に延びており、後板部４０のうち、前後方向における後板部４０の前端から天板本体部２０の後端までの領域の部分が第１被覆部４１の一例に相当する。
【００２６】
図２のように、環状上面部４３は、第２枠部３２に沿って配置されるとともに上面が平坦面として構成された平坦面部４５を具備する。平坦面部４５の平坦面は、例えば、水平方向（天板本体部２０の厚さ方向と直交する平面方向）に沿った平面である。そして、第２被覆部４２は、平坦面部４５の端部から立ち下がる構成をなしている。第２被覆部４２が平坦面部４５の端部から折れ曲がる方向は、天板本体部２０の厚さ方向と平行な方向（垂直方向）に沿った方向である。具体的には、図９のように、第２被覆部４２は、平坦面部４５の左右両端部から下方に折れ曲がる形態をなす被覆部４２Ａ，４２Ｂ（図９等）を備え、被覆部４２Ａは、第２直線状部３５の一部分を被覆し、被覆部４２Ｂは、第２直線状部３６の一部分を被覆する。更に、第２被覆部４２は、平坦面部４５の後端部から下方に折れ曲がる形態をなす被覆部４２Ｃを備え、被覆部４２Ｃは、第１直線状部３４を被覆する。図２、図３等で示す例では、天板本体部２０の後端部（後端側周縁部２９Ｂ）よりも後方側において、第２枠部３２の上面全体が後板部４０によって覆われている。具体的には、図１２、図１４のように、第２枠部３２の全領域において、上端面１３２の全体と上端面１３２よりも内側に張り出す内側張出部１３４の全体が後板部４０によって覆われ、これらが視認不能とされている。そして、第２枠部３２の外周部１３６については、外周面の厚さ方向一部分が第２被覆部４２によって覆われている。
【００２７】
図２のように、後板部４０には、グリル庫１０からの排気を排出する排気口４９が貫通孔として形成されている。図２のように、後板部４０の表面側には、下方に凹む凹部４７が形成されており、凹部４７には、図示しないカバー部材が嵌め込まれるようになっている。このカバー部材は、排気口４９を覆うように後板部４０に装着される部材であり、排気を導出するための多数の貫通孔が形成されてなるものである。このカバー部材が後板部４０に装着された状態では、排気口４９を介して排出される排気が、カバー部材に形成された多数の貫通孔を介して外部に放出されることになる。
【００２８】
図４、図８、図９のように、天板本体部２０の裏面に対しては、複数のフレーム部材を備えてなる補強フレーム８０が固定されている。補強フレーム８０は、左右方向に延びるフレーム部材（補強部材）８１，８２，８３と、前後方向に延びるフレーム部材（補強部材）８４，８５，８６，８７を備え、これらが接着剤などの固定手段によって天板本体部２０の裏面に固定されつつ互いに連結されている。そして、フレーム部材８４，８５が補強板部８９の一例として構成され、フレーム部材８４が第１補強板部の一例として構成され、フレーム部材８５が第２補強板部の一例として構成されている。
【００２９】
補強板部８９を構成するフレーム部材８４，８５は、天板本体部２０の裏面に固定される長手状且つ板状の部材であり、例えば金属材料などからなる。補強板部８９のうちフレーム部材８４（第１補強板部）は、天板本体部２０の左右方向一方側の端部寄りに固定され、フレーム部材８５（第２補強板部）は、天板本体部２０の左右方向他方側の端部寄りに固定される。フレーム部材８４（第１補強板部）及びフレーム部材８５（第２補強板部）はいずれも、前後方向に長い板状部材として構成されており、フレーム部材８４（第１補強板部）は、左右方向において第２直線状部３５側に寄った位置に配置され、第２直線状部３５付近において第２直線状部３５に沿って配置される。フレーム部材８５（第２補強板部）は、左右方向において第２直線状部３６側に寄った位置に配置され、第２直線状部３６付近において第２直線状部３６に沿って配置される。フレーム部材８４（第１補強板部）及びフレーム部材８５（第２補強板部）は、天板本体部２０の後端部よりも後方側に延出した後方延出部８４Ａ，８５Ａを具備する。フレーム部材８４，８５のそれぞれの後方延出部８４Ａ，８５Ａは、後板部４０の裏面に接触しつつ後板部４０を下方側から支持するように構成されている（図３も参照）。
【００３０】
第１作用部材７１及び第２作用部材７２は、天板本体部２０の裏面側に配置される部材であり、天板部４を筐体部２に連結する際に連結作用を生じさせる部材である。第１作用部材７１及び第２作用部材７２は、補強フレーム８０の下方側に組み付けられている。なお、第１作用部材７１及び第２作用部材７２のそれぞれにおいて天板本体部２０よりも後方側に延出した延出部７１Ａ，７２Ａは、後板部４０の下方側に配置され、それぞれが連結部材によって後板部４０に固定されている。
【００３１】
１−３．効果
ガスコンロ１は、天板部４の一部をなす後板部４０が、天板本体部２０の上面部の後方側に配置される環状上面部４３と、天板本体部２０の上面部後端を上方側から覆う第１被覆部４１と、枠体３０の第２枠部３２を外側から覆う第２被覆部４２とを備える。このように構成されるため、枠体３０において後板部４０付近に配置される部分（第２枠部３２）と後板部４０との間の隙間が上面側に露出する領域を低減又は無くすことができ、後板部４０と枠体３０の間の隙間に煮汁等が入り込むことを防ぎやすくなる。また、煮汁等の残存が生じにくくなるため、美観面も向上し得る。
【００３２】
更に、補強板部８９は、天板本体部２０の左右方向一方側の端部寄りに固定されるフレーム部材８４（第１補強板部）と、天板本体部２０の左右方向他方側の端部寄りに固定されるフレーム部材８５（第２補強板部）と、を備える。そして、フレーム部材８４（第１補強板部）及びフレーム部材８５（第２補強板部）は、天板本体部２０の後端部よりも後方側に延出した後方延出部８４Ａ，８５Ａを具備する。そして、フレーム部材８４，８５のそれぞれの後方延出部８４Ａ，８５Ａが、後板部４０を下方側から支持する構成となっている。
【００３３】
このようにすれば、補強板部８９の一部によって後板部４０を下方側から支持することができるため、後板部４０から加わる力を枠体３０と補強板部８９とに分散することができる。つまり、後板部４０を、少なくとも枠体３０と補強板部８９とによって支えることができる。よって、第２枠部３２が後板部４０によって上方側から押圧されることに起因する枠体３０の撓み等を抑えることができ、より強度を増すことができる。
【００３４】
更に、環状上面部４３は、第２枠部３２に沿って配置されるとともに上面が平坦面として構成された平坦面部４５を具備する。そして、第２被覆部４２は、平坦面部４５の端部から立ち下がる構成をなす。
【００３５】
このようにすれば、環状上面部４３において第２被覆部４２側の境界付近の形状を凹部が少ない形状とすることができ、煮汁等が溜まることをより防ぎやすくなる。
【００３６】
＜他の実施例＞
本発明は上記記述及び図面によって説明した実施例に限定されるものではなく、その趣旨を逸脱しない範囲において種々の構成で実現することができる。例えば、上述した実施例や後述する実施例の様々な特徴は、発明の趣旨を逸脱せず且つ矛盾しない組み合わせであればどのように組み合わせてもよい。また、その技術的特徴が本明細書中に必須なものとして説明されていなければ、適宜、削除することが可能である。
【００３７】
実施例１では、後方延出部の一例として、後方延出部８４Ａ，８５Ａを例示したが、後方延出部８４Ａ，８５Ａの形状や長さなどは、実施例１の構成に限定されない。例えば、後方延出部が枠体３０の後端部付近まで延びていてもよく、後方延出部が補強部材９０に連結されるような構成であってもよい。
【符号の説明】
【００３８】
１…ガスコンロ
２…筐体部
４…天板部
２０…天板本体部
３０…枠体
３１…第１枠部
３２…第２枠部
４０…後板部
４１…第１被覆部
４２…第２被覆部
４３…環状上面部
４５…平坦面部
８４…第１補強板部
８５…第２補強板部
８４Ａ，８５Ａ…後方延出部
８９…補強板部
【図１】
2019219138.tif 000003
【図２】
2019219138.tif 000004
【図３】
2019219138.tif 000005
【図４】
2019219138.tif 000006
【図５】
2019219138.tif 000007
【図６】
2019219138.tif 000008
【図７】
2019219138.tif 000009
【図８】
2019219138.tif 000010
【図９】
2019219138.tif 000011
【図１０】
2019219138.tif 000012
【図１１】
2019219138.tif 000013
【図１２】
2019219138.tif 000014
【図１３】
2019219138.tif 000015
【図１４】
2019219138.tif 000016